(57)【要約】      （修正有）【課題】草を刈り払う際に、草の周辺の地面に存在する小石が弾き飛ばされることを防止するとともに騒音の発生を和らげることを可能とする刈払機用カバーを提供する。【解決手段】操作棹３と、操作棹３の先端部に装着した回転刈払刃２０と、を有し、操作棹は、駆動源から伝わる力によって回転する駆動軸４を有し、操作棹の先端部に、駆動軸の先端部と、回転刈払刃と、を、ギヤを介して接続するギヤハウジング１０を有する刈払機において、ギヤハウジング側に位置する回転刈払刃の表側面２１を、ギヤハウジング側から覆うカバー体３１によって、刈払機用カバー３０を構成し、カバー体が、回転刈払刃の表側面２１を、ギヤハウジング側から覆う状態において、ギヤハウジング側の反対側に位置する回転刈払刃の裏側面２２を、カバー体の外側に向かって露出させる。【選択図】図３
0003229401.tif 000002
【実用新案登録請求の範囲】
【請求項１】
操作棹と、当該操作棹の先端部に装着した回転刈払刃と、当該操作棹の後端部に設けた駆動源と、を有し、
前記操作棹は、内部に、前記駆動源から伝わる力によって回転する駆動軸を有し、
前記操作棹の先端部は、前記駆動軸の先端部と、前記回転刈払刃と、を、接続するギヤハウジングを有し、
前記ギヤハウジングは、前記駆動軸の回転を前記回転刈払刃に伝達するギヤを収容している刈払機において、
前記ギヤハウジング側に位置する前記回転刈払刃の表側面を、前記ギヤハウジング側から覆うカバー体を有し、
前記カバー体が、前記回転刈払刃の前記表側面を、前記ギヤハウジング側から覆う状態において、前記ギヤハウジング側の反対側に位置する前記回転刈払刃の裏側面が、前記カバー体の外側に向かって露出すること特徴とする刈払機用カバー。
【請求項２】
前記カバー体が、前記回転刈払刃の前記表側面を、前記ギヤハウジング側から覆う状態において、
前記回転刈払刃の前記表側面に対向する前記カバー体の面上と、前記回転刈払刃の周縁部に対向する前記カバー体の面上と、は、弾性体からなる部材によって覆われていることを特徴とする請求項１に記載の刈払機用カバー。
【請求項３】
前記カバー体の端部が、前記操作棹に回動可能に軸支されており、この軸支する軸方向は、前記駆動軸の軸方向と直交しているとともに、前記回転刈払刃の回転中心軸方向とも直交していることを特徴とする請求項１又は請求項２に記載の刈払機用カバー。
【考案の詳細な説明】
【技術分野】
【０００１】
本考案は、作業者が操作桿の端部に装着された刈払刃を回転させることにより地面に生えている草を刈り払う刈払機の刈払機用カバーに関するものである。
【背景技術】
【０００２】
地面に生えている草を刈り払う際、刈払機が広く用いられている。一般的な刈払機は、操作棹と、操作棹に接続された電動モータやエンジンからなる駆動源と、操作棹の先端に装着された刈払刃と、を備えている。刈払刃は、駆動源から伝達される力によって回転する（例えば、特許文献１の図１を参照）。
刈払刃には、その周縁部に金属製刃が形成されているタイプのものがある（例えば、特許文献２の図２を参照）。このような刈払刃にあっては、回転する刈払刃の金属製刃が、地面に生えている草の葉や茎を切断し、草が刈り払われる。
【０００３】
別のタイプの刈払刃にあっては、その周縁部に樹脂製のコードカッターが形成されているタイプのものがある（例えば、特許文献３の図４を参照）。このような刈払刃にあっては、回転するコードカッターが、地面に生えている草の葉や茎を切断し、草が刈り払われる。
【先行技術文献】
【特許文献】
【０００４】
【特許文献１】特開平１０−２２９７２２号公報
【特許文献２】特開平１０−３１３６３５号公報
【特許文献３】特開２０１７−２０５１２４号公報
【考案の概要】
【考案が解決しようとする課題】
【０００５】
刈払機によって刈り払おうとする草が生えている地面には、小石が散在していることが多い。回転する刈払刃の金属製刃やコードカッターが、地面の小石に当たると、その小石は周囲に弾き飛ばされてしまう。弾き飛んだ小石は、様々な方向に飛ぶ。
場合によっては、小石は、刈払機を操作する作業者の方へ向かって弾き飛び、作業者に当たることになりかねない。また、弾き飛んだ小石が刈払機に当たることにより、刈払機がダメージを負うことになりかねない。
【０００６】
本考案は、上記問題を解決しようとするものである。その目的とするところは、刈払機によって草を刈り払う際、回転する刈払刃が、小石を弾き飛ばすことがあっても、弾き飛んだ小石が、刈払機を操作する作業者や刈払機にダメージを与えることを防止できる刈払機用カバーを提供することである。
【課題を解決するための手段】
【０００７】
本考案は、上記課題を解決するために以下のような構成をとる。
請求項１の考案に係る刈払機用カバーは、操作棹と、当該操作棹の先端部に装着した回転刈払刃と、当該操作棹の後端部に設けた駆動源と、を有し、  前記操作棹は、内部に、前記駆動源から伝わる力によって回転する駆動軸を有し、前記操作棹の先端部は、前記駆動軸の先端部と、前記回転刈払刃と、を、接続するギヤハウジングを有し、前記ギヤハウジングは、前記駆動軸の回転を前記回転刈払刃に伝達するギヤを収容している刈払機において、前記ギヤハウジング側に位置する前記回転刈払刃の表側面を、前記ギヤハウジング側から覆うカバー体を有し、前記カバー体が、前記回転刈払刃の前記表側面を、前記ギヤハウジング側から覆う状態において、前記ギヤハウジング側の反対側に位置する前記回転刈払刃の裏側面が、前記カバー体の外側に向かって露出すること特徴とする。
【０００８】
請求項２の考案に係る刈払機用カバーは、請求項１に記載の刈払機用カバーであって、前記カバー体が、前記回転刈払刃の前記表側面を、前記ギヤハウジング側から覆う状態において、前記回転刈払刃の前記表側面に対向する前記カバー体の面上と、前記回転刈払刃の周縁部に対向する前記カバー体の面上と、は、弾性体からなる部材によって覆われていることを特徴とする。
【０００９】
請求項３の考案に係る刈払機用カバーは、請求項１又は請求項２に記載の刈払機用カバーであって、前記カバー体の端部が、前記操作棹に回動可能に軸支されており、この軸支する軸方向は、前記駆動軸の軸方向と直交しているとともに、前記回転刈払刃の回転中心軸方向とも直交していることを特徴とする。
【考案の効果】
【００１０】
カバー体が、回転刈払刃の表側面を、ギヤハウジング側から覆う状態において、回転刈払刃の裏側面が、カバー体の外側に向かって露出している。
刈払機を操作する作業者は、回転刈払刃の裏側面が地面に沿うように動かせば、地面から生えている草の茎や葉を回転刈払刃によって切断し刈り払うことができる。
回転刈払刃が、小石を弾き飛ばしたとしても、弾き飛んだ小石は、カバー体に当たって止まり、カバー体の外側にある物や人に当たることが防止される。
【００１１】
回転刈払刃の表側面に対向するカバー体の面上と、回転刈払刃の周縁部に対向するカバー体の面上と、は、弾性体からなる部材によって覆われている。このカバー体の面上を覆う弾性体が、回転刈払刃が弾き飛ばす小石のエネルギーを吸収し、弾き飛ぶ小石が他の物に当たって与えるダメージを小さくする。
また、カバー体の面上を覆う弾性体は、回転刈払刃が小石を弾き飛ばす際にたてる騒音を吸収して和らげることもできる。
【００１２】
カバー体の面上を覆う弾性体は、ゴムからなる部材によって形成することが可能である。カバー体の面上を覆う弾性体は、樹脂からなる部材によって形成することも可能である。カバー体の面上を覆う弾性体は、ウェス等のぼろ布によって形成することも可能である。
カバー体を、操作棹に軸支されている箇所を中心として回動させることによって、回転刈払刃をカバー体の外に完全に露出させることができる。このように回転刈払刃を露出させることにより、カバー体が刈払い作業の邪魔となるような場所に生えている草を、刈り払うことが可能となる。
【図面の簡単な説明】
【００１３】
【図１】刈払機の斜視図である。なお、図１において、刈払機用カバーの図示は省略されている。
【図２】カバー体が回転刈払刃の表側面をギヤハウジング側から覆っている状態における操作棹の先端部の側面図である。
【図３】カバー体が回転刈払刃の表側面をギヤハウジング側から覆っていない状態における操作棹の先端部の正面図である。
【図４】カバー体が回転刈払刃の表側面をギヤハウジング側から覆っている状態におけるカバー体の正面図である。
【図５】カバー体が回転刈払刃の表側面をギヤハウジング側から覆っている状態におけるカバー体の背面図である。
【図６】カバー体が回転刈払刃の表側面をギヤハウジング側から覆っている状態におけるカバー体の上面図である。
【図７】カバー体の上面図である。
【図８】カバー体が回転刈払刃の表側面をギヤハウジング側から覆っている状態におけるカバー体の底面図である。
【考案を実施するための形態】
【００１４】
本考案の実施の形態を図１から図８を参照しつつ説明する。
刈払機１は、駆動源２をなすエンジンと、操作棹３と、回転刈払刃２０とを有している。なお、図１において、後述する刈払機用カバー３０の図示は省略されている。
操作棹３は、略パイプ状をなし、駆動軸４を内蔵している。駆動軸４は、駆動源２において発生する力によって回転する構成を有している。操作棹３の中央部分近傍には、ハンドル５が設けられている。操作棹３をなすパイプの外径はｄ１である。
【００１５】
操作棹３の中心軸線ＣＬ１は、駆動軸４の回転中心軸線と重なって一致している。
操作棹３の先端部には、ギヤハウジング１０が形成されている。ギヤハウジング１０は、操作棹３の先端部と、回転刈払刃２０と、を接続している。操作棹３の先端部につながるギヤハウジング１０の頂部には、円柱状突起１１が形成されており、円柱状突起１１の脇には、凹部１２が形成されている。
ギヤハウジング１０は、ギヤ１３を内蔵している。ギヤ１３は、駆動軸４の回転を回転刈払刃２０に伝達し、駆動源２の力によって回転刈払刃２０を回転させる構成を有している。
【００１６】
回転刈払刃２０は、円盤状をなし、表側面２１と、裏側面２２と、円周側面２３と、を有している。表側面２１は、ギヤハウジング１０側に位置しており、表側面２１の上にギヤハウジング１０がのっている。回転刈払刃２０は、その中心を貫通するボルト２４によってギヤ１３に接続されている。円周側面２３には、１本又は複数本のコードカッター２５が植設されている。
ボルト２４の中心軸線ＣＬ２は、回転刈払刃２０の回転中心軸線に重なって一致している。
【００１７】
中心軸線ＣＬ１と、中心軸線ＣＬ２と、は、一枚の仮想平面Ｆ上に存在している。
中心軸線ＣＬ２に沿って測った裏側面２２から凹部１２の底までの距離は、ｈ１である。
中心軸線ＣＬ２に沿って測った裏側面２２からコードカッター２５が植設されている円周側面２３上の位置までの距離は、ｈ２である。
【００１８】
操作棹３の先端部には、カバー体３１が形成されている。
カバー体３１は、高さｈ３を有する略円筒形状をなし、略円筒状の周縁部３２と、略円形状の上面３３と、を有している。カバー体３１をなす円筒の一方の端は、上面３３によって塞がれており、カバー体３１をなす円筒の他方の端は、開放している。
【００１９】
弾性体３６が、カバー体３１の内側面３５を覆っている。弾性体３６は、弾力のあるゴム部材によって形成されている。
上面３３の中央には、半円形の半円形穴部３７が開口している。半円形穴部３７において、半月形の弦の長さは、ギヤハウジング１０の円柱状突起１１の外径に対応している。
カバー体３１の内側面３５を覆う弾性体３６において、円形の円形穴部３８が形成されている。半円形穴部３７の中心と円形穴部３８の中心は、ともに中心軸線ＣＬ２上にある。円形穴部３８の直径は、半円形穴部３７の直径よりもわずかに小さい。
【００２０】
カバー体３１の上面３３上において、半円形穴部３７の近傍には、略コの字形をなす位置決め部材４０が立設されている。位置決め部材４０は、脚４１、脚４２と、脚４１と脚４２の後端同士をつなぐ中央棒状部材４３と、を有している。脚４１と、中央棒状部材４３と、脚４２とが、略コの字形を描いて順に連続してつながっている。脚４１の先端と、脚４２の先端と、が、上面３３上に固定されている。脚４１の先端と脚４２の先端との間の間隔は、中央棒状部材４３の長さと同じであり、操作棹３の外径ｄ１よりも大きい。
【００２１】
中央棒状部材４３の中心軸線ＣＬ３は、中心軸線ＣＬ１と直交するとともに、中心軸線ＣＬ２とも直交しており、上面３３と平行である。
上面３３と中央棒状部材４３との間隔は、ｈ４である。
ｈ１、ｈ２、ｈ３及びｈ４の間には、以下の関係が成立している。
ｈ１＞ｈ３＋ｈ４
ｈ２≧ｈ１−（ｈ３＋ｈ４）
【００２２】
カバー体３１の上面３３の周縁近傍には、略コの字形をなす回動支承部材５０が立設されている。回動支承部材５０は、脚５１、脚５２と、脚５１と脚５２の後端同士をつなぐ中央棒状部材５３と、を有している。脚５１と、中央棒状部材５３と、脚５２とが、略コの字形を描いて順に連続してつながっている。
脚５１の先端と脚５２の先端との間の距離は、中央棒状部材５３の長さよりも大きく、中央棒状部材５３の長さは、操作棹３の外径ｄ１とほぼ同じ大きさである。
【００２３】
回動支承部材５０の中央棒状部材５３は、軸となって、操作棹３の表面上に軸支されている。中央棒状部材５３の中心軸線ＣＬ４は、中心軸線ＣＬ１と直交するとともに、中心軸線ＣＬ２とも直交しており、上面３３と平行であり、中心軸線ＣＬ３とも平行である。
中央棒状部材５３が、操作棹３の表面上に軸支されることにより、中心軸線ＣＬ４を中心として、カバー体３１と、位置決め部材４０と、回動支承部材５０と、が、一体となって回動可能に構成されている。
【００２４】
半円形穴部３７の中心点、  円形穴部３８の中心点、位置決め部材４０の脚４１先端と脚４２の先端との中間中央点、位置決め部材４０の中央棒状部材４３の中間中央点、回動支承部材５０の脚５１先端と脚５２先端との中間中央点、回動支承部材５０の中央棒状部材５３の中間中央点は、すべて、仮想平面Ｆ上に存在している。
カバー体３１の上面３３には、切り欠き６０が形成されている。
切り欠き６０は、半円形穴部３７から、上面３３と周縁部３２との境界３４まで、半円形穴部３７の直径と同じ長さの幅で連続している。境界３４に達した切り欠き６０は、周縁部３２に形成された切り欠き６１に連続している。切り欠き６１の幅は、切り欠き６０の幅と同じ大きさである。切り欠き６０と切り欠き６１からは、カバー体３１の内側面３５を覆う弾性体３６が露出している。
【００２５】
切り欠き６０と切り欠き６１から露出する弾性体３６は、円形穴部３８から連続する１本の切り割り６２によって切り割られている。切り割り６２は、仮想平面Ｆ上に存在している。
上面３３上において、位置決め部材４０は、脚４１と脚４２との間に、切り欠き６０を跨いでおり、回動支承部材５０は、脚５１と脚５２との間に、切り欠き６０と切り欠き６１を跨いでいる。
【００２６】
回動支承部材５０の中央棒状部材５３の中間中央点と、位置決め部材４０の中央棒状部材４３の中間中央点と、の間の仮想平面Ｆ上における距離は、回動支承部材５０の中央棒状部材５３の中間中央点と、ギヤハウジング１０の円柱状突起１１の脇の凹部１２と、の間の仮想平面Ｆ上における距離に、等しい。
カバー体３１と、位置決め部材４０と、回動支承部材５０とが、刈払機用カバー３０をなしている。
以上が、刈払機用カバー３０の構成である。
【００２７】
以下に、その作用効果について説明する。
最初に、作業者が、ある程度の広さを有する平坦な地面に生えた草を刈払機１を使って刈り払う場合について説明する。
まず、作業者は、中心軸線ＣＬ４を中心として刈払機用カバー３０を回動させ、カバー体３１によって回転刈払刃２０の表側面２１をギヤハウジング１０側から覆う。
このとき、位置決め部材４０の中央棒状部材４３が、ギヤハウジング１０の円柱状突起１１の脇の凹部１２に嵌るようにのる。
【００２８】
ギヤハウジング１０の円柱状突起１１は、カバー体３１の上面３３の半円形穴部３７と弾性体３６の円形穴部３８を通りぬける。
また、操作棹３のギヤハウジング１０側の部分が、切り欠き６０と切り欠き６１を通りぬける。操作棹３が、切り欠き６０と切り欠き６１を通りぬけるとき、操作棹３は、弾性体３６の切り割り６２の間を通りぬける。
カバー体３１が回転刈払刃２０の表側面２１をギヤハウジング１０側から覆った状態で、カバー体３１を側面から見ると、回転刈払刃２０の表側面２１とコードカッター２５は、周縁部３２の陰に隠れて見えず、回転刈払刃２０の裏側面２２が周縁部３２の下方から飛び出して見えている。
【００２９】
この状態で、カバー体３１を下方の底面側から見ると、回転刈払刃２０の裏側面２２とコードカッター２５が露出して見えている。
そして、カバー体３１の内側面３５を覆う弾性体３６は、回転刈払刃２０の表側面２１に対向し、回転刈払刃２０の円周側面２３にも対向している。
作業者は、カバー体３１が回転刈払刃２０の表側面２１を覆った状態のままで、地面に生えた草を回転刈払刃２０のコードカッター２５を使って刈り払う。草が生えている地面に小石が散在していると、その小石が回転するコードカッター２５によって弾き飛ばされる。
【００３０】
コードカッター２５が弾き飛ばした小石は、カバー体３１の内側面３５を覆う弾性体３６に当たり、そのまま地面に落下する。弾き飛ばされた小石が、カバー体３１の外にまで飛んでいくことは、カバー体３１が防止している。
また、コードカッター２５が小石を弾き飛ばす際に生じる騒音は、カバー体３１の内側面３５を覆う弾性体３６が吸収し、弱まる。
次に、面積が狭い場所や樹木の地面からの生え際等に生えた草を刈払機１を使って刈り払う場合について説明する。
【００３１】
まず、作業者は、中心軸線ＣＬ４を中心として刈払機用カバー３０を回動させ、回転刈払刃２０全体がカバー体３１から外に露出した状態とする。
作業者は、回転刈払刃２０全体がカバー体３１から外に露出した状態のまま、回転刈払刃２０を回転させつつ、ハンドル５を操り、回転する回転刈払刃２０を傾けて、面積が狭い場所や樹木の地面からの生え際等に生えた草を刈り払う。
【００３２】
回転刈払刃２０全体がカバー体３１から外に露出した状態とすることで、狭い場所や樹木の地面からの生え際等に、回転する回転刈払刃２０を差し入れることができる。
カバー体３１の内側面３５を覆う弾性体３６が、劣化したり痛んだりしたときは、傷んだ弾性体３６を健全な弾性体３６と交換すればよい。
【産業上の利用可能性】
【００３３】
上記のような刈払機用のカバーであるので、地面などに生える草の刈り払い作業において有用である。
【符号の説明】
【００３４】
１  刈払機
２  駆動源
３  操作棹
４  駆動軸
５  ハンドル
１０  ギヤハウジング
１１  円柱状突起
１２  凹部
１３  ギヤ
２０  回転刈払刃
２１  表側面
２２  裏側面
２３  円周側面
２４  ボルト
２５  コードカッター
３０  刈払機用カバー
３１  カバー体
３２  周縁部
３３  上面
３４  境界
３５  内側面
３６  弾性体
３７  半円形穴部
３８  円形穴部
４０  位置決め部材
４１、４２  脚
４３  中央棒状部材
５０  回動支承部材
５１、５２  脚
５３  中央棒状部材
６０、６１  切り欠き
６２  切り割り
ｄ１  操作棹の外径
ＣＬ１  操作棹の中心軸線
ＣＬ２  ボルトの中心軸線
ＣＬ３  位置決め部材の中央棒状部材の中心軸線
ＣＬ４  回動支承部材の中央棒状部材の中心軸線
ｈ１  中心軸線ＣＬ２に沿って測った回転刈払刃の裏側面から凹部の底までの距離
ｈ２  中心軸線ＣＬ２に沿って測った回転刈払刃の裏側面からコードカッターが植設されている位置までの距離
ｈ３  カバー体の高さ
ｈ４  カバー体の上面と位置決め部材の中央棒状部材との間隔
【図１】
0003229401.tif 000003
【図２】
0003229401.tif 000004
【図３】
0003229401.tif 000005
【図４】
0003229401.tif 000006
【図５】
0003229401.tif 000007
【図６】
0003229401.tif 000008
【図７】
0003229401.tif 000009
【図８】
0003229401.tif 000010